(57)【要約】【課題】出力装置に情報を提示するアプリケーションが、乗員の着席状況に応じて自動的に決定されるようにする。【解決手段】ＨＤＤ１３には、各座席における乗員の着席の有無のパターンをそれぞれ示す複数種類の乗員パターンと、スピーカ２４、および表示装置２５、２６の各々と提示アプリケーションとの関係のパターンをそれぞれ示す複数のアプリケーションパターンとが対応付けて記憶されている。ＣＰＵ１４は、複数種類の乗員パターンのうちのいずれかを示す着席情報を取得し、スピーカ２４、および表示装置２５、２６に情報を提示するアプリケーションを、ＨＤＤ１３に記憶されている情報を参照し、着席情報によって示される乗員パターンに対応するアプリケーションパターンに従って、スピーカ２４、および表示装置２５、２６の各々に情報を提示するアプリケーションを決定する。【選択図】図１
2008179176.tif 000002
【特許請求の範囲】
【請求項１】
少なくとも１つの座席を有する移動体に設けられ、少なくとも１つの出力装置に情報を出力する情報処理装置であって、
上記各座席における乗員の着席の有無のパターンをそれぞれ示す複数種類の乗員パターンと、上記出力装置と提示アプリケーションとの関係のパターンをそれぞれ示す複数のアプリケーションパターンとを、互いに対応付けて記憶する記憶部と、
上記複数種類の乗員パターンのうちのいずれかを示す着席情報を取得し、上記記憶部を参照し、上記着席情報が示す乗員パターンに対応するアプリケーションパターンに従って、上記出力装置に情報を提示するアプリケーションを決定する処理部とを備えていることを特徴とする情報処理装置。
【請求項２】
請求項１の情報処理装置において、
上記処理部は、さらに、上記記憶部において、上記着席情報が示す乗員パターンに対応するアプリケーションパターンを、上記着席情報の取得時における上記出力装置と提示アプリケーションとの関係を示すものに更新する機能を有することを特徴とする情報処理装置。
【請求項３】
請求項１の情報処理装置において、
上記乗員パターンは、乗員の着席の有無に加えて、着席している乗員の種類を示すものであることを特徴とする情報処理装置。
【発明の詳細な説明】
【技術分野】
【０００１】
本発明は、例えば、自動車等の移動体に設けられる情報処理装置に関するものであって、より詳しくは、ナビゲーション装置等に関するものである。
【背景技術】
【０００２】
従来、自動車等の移動体において、乗員が着席している場所等の搭乗状況に応じた制御を行う装置が知られている。
【０００３】
例えば、どの座席に乗員が着席しているかに応じて、各乗員に聞こえる左右の音量バランスが適正となるようにスピーカの音量を制御する装置（例えば、特許文献１を参照。）や、自動車内に搭載されているディスプレイの向きが各乗員に対してより見やすい向きに自動的に調整されるように制御する装置（例えば、特許文献２を参照。）等が知られている。
【０００４】
一方、経路を案内するナビゲーションアプリケーションだけでなく、テレビ、ＨＤＤ（Hard Disk Drive）オーディオ、ＤＶＤ（Digital Versatile Disk）プレイヤー、静止画ビューア等の様々なアプリケーションを１つのナビゲーション装置内に搭載し、１つまたは複数のアプリケーションを選択して利用できるようにする技術も知られている。
【０００５】
また、ＲＳＥ（Rear Seat Entertainment）に代表されるように、複数のディスプレイを有し、これらに同一または異なるアプリケーションからの情報を出力させる装置も知られている。さらに、運転席側から見える映像と助手席側から見える映像とを別にすることによって、単一のディスプレイに２つのディスプレイと同等の機能を持たせる技術も知られている。
【特許文献１】特開昭５８−１７５４００号公報
【特許文献２】特開２００２−２４０６４１号公報
【発明の開示】
【発明が解決しようとする課題】
【０００６】
しかしながら、複数のアプリケーションを有するナビゲーション装置においては、どのアプリケーションからの情報をディスプレイ等の出力装置に出力させるかを選択するために、利用者が所定の入力操作を行う必要があった。前回出力装置に出力された情報を提示したアプリケーションがレジューム情報として記憶されており、利用者が前回と同じアプリケーションを選択する場合であれば、変更操作を行わずにすむが、乗員の構成が変わり、必要なアプリケーションが変わった場合等には手動で変更操作を行う必要があった。
【０００７】
また、ナビゲーション装置が複数のディスプレイを有する場合には、どのアプリケーションからの情報を表示させるかを、利用者が個々のディスプレイについて選択する操作を行う必要があった。したがって、一部の乗員がいなくなり、一部のディスプレイへの出力映像の表示が不要になっても、表示が継続してしまうことがあった。
【０００８】
本発明は、従来の問題を解決するためになされたもので、出力装置に情報を提示するアプリケーションが、乗員の着席状況に応じて自動的に決定されるようにすることを目的とする。
【課題を解決するための手段】
【０００９】
上記の課題を解決するため、請求項１の発明は、
少なくとも１つの座席を有する移動体に設けられ、少なくとも１つの出力装置に情報を出力する情報処理装置であって、
上記各座席における乗員の着席の有無のパターンをそれぞれ示す複数種類の乗員パターンと、上記出力装置と提示アプリケーションとの関係のパターンをそれぞれ示す複数のアプリケーションパターンとを、互いに対応付けて記憶する記憶部と、
上記複数種類の乗員パターンのうちのいずれかを示す着席情報を取得し、上記記憶部を参照し、上記着席情報が示す乗員パターンに対応するアプリケーションパターンに従って、上記出力装置に情報を提示するアプリケーションを決定する処理部とを備えていることを特徴とする。
【００１０】
請求項１の発明により、処理部が、各座席における乗員の着席の有無を示す着席情報に応じて、出力装置に情報を提示するアプリケーションを決定する。したがって、乗員の着席状況に応じて、出力装置に情報を提示するアプリケーションが自動的に決定される。これにより、決定されたアプリケーションによって提示された情報を、出力装置が容易に出力できる。
【００１１】
また、請求項２の発明は、
請求項１の情報処理装置において、
上記処理部は、さらに、上記記憶部において、上記着席情報が示す乗員パターンに対応するアプリケーションパターンを、上記着席情報の取得時における上記出力装置と提示アプリケーションとの関係を示すものに更新する機能を有することを特徴とする。
【００１２】
請求項２の発明により、記憶部は、着席情報の取得時における出力装置と提示アプリケーションとの関係が反映された情報を記憶する。そして、その記憶部が参照されることによって、出力装置に情報を提示するアプリケーションが決定される。
【００１３】
また、請求項３の発明は、
請求項１の情報処理装置において、
上記乗員パターンは、乗員の着席の有無に加えて、着席している乗員の種類を示すものであることを特徴とする。
【００１４】
請求項３の発明により、処理部が、各座席における乗員の着席の有無に加え、着席している乗員の種類を示す着席情報に応じて、出力装置に情報を提示するアプリケーションを決定する。したがって、乗員の着席状況および乗員の構成に応じて、出力装置に情報を提示するアプリケーションが自動的に決定される。
【００１５】
本発明における字句の解釈は、次のとおりである。
【００１６】
「アプリケーション」とは、情報を利用者に提示する手段を示し、ナビゲーション、テレビ、ラジオ、ＣＤプレイヤー、ＤＶＤプレイヤー、ＨＤＤオーディオ、静止画ビューア、動画ビューア、ハンズフリー等を示す。
【００１７】
「出力装置」とは、アプリケーションによって提示された情報を出力し得る装置であれば足り、情報処理装置に備えられているか否かを問わない。具体的には、スピーカ、表示装置、振動発生装置等である。
【００１８】
「処理部」とは、ハードウエア、またはソフトウエアとハードウエアとの協働によって具体的な処理を実現するための部位である。
【００１９】
「処理部」は、好ましくは、１つの表示装置に複数のアプリケーションによって提示させた情報を表示させることができるものである。具体的には、表示装置の画面を２つ以上に分割し、画面上の分割された各部分に、別々のアプリケーションによって提示された情報を表示させるものである。
【発明の効果】
【００２０】
本発明によると、情報処理装置が、出力装置に情報を提示するアプリケーションを乗員の着席状況に応じて決定する。したがって、出力装置に情報を提示するアプリケーションが、乗員の着席状況に応じて自動的に決定される。
【発明を実施するための最良の形態】
【００２１】
以下、本発明の実施形態について、図面を参照して説明する。なお、以下の各実施形態において、他の実施形態と同様の機能を有する構成要素については同一の符号を付して説明を省略する。
【００２２】
《発明の実施形態》
以下、本発明の実施形態について、図面を参照して説明する。
【００２３】
＜情報処理装置１０のハードウェア構成＞
まず、本発明の実施形態に係る情報処理装置１０のハードウェア構成について説明する。情報処理装置１０は、図１に示すように、Ｉ／Ｏ（Input/Output）１１、ＲＯＭ（Read Only Memory）１２、ＨＤＤ１３（記憶部）、ＣＰＵ（Central Processing Unit）１４（処理部）、ＲＡＭ（Random Access Memory）１５、描画ＩＣ（Integrated Circuit）１６、ＶＲＡＭ（Video Random Access Memory）１７、音声ＩＣ１８、およびＤＶＤドライブ１９を備えている。
【００２４】
Ｉ／Ｏ１１には、ＧＰＳ（Global Positioning System）２０、車速センサ２１、着座センサ２２、タッチパネル２３、スピーカ２４（出力装置）、第１の表示装置２５（出力装置）および第２の表示装置２６（出力装置）が接続されている。
【００２５】
情報処理装置１０、ＧＰＳ２０、車速センサ２１、着座センサ２２、タッチパネル２３、スピーカ２４、第１の表示装置２５、および第２の表示装置２６は、１台の自動車に備えられている。
【００２６】
ＲＯＭ１２には、起動時や緊急時などに必要な基本プログラムが記憶されている。基本プログラムとして、例えば、ＢＩＯＳ（Basic Input/Output System）が記憶されるようにしてもよい。
【００２７】
ＨＤＤ１３には、ナビゲーション、テレビ、ＨＤＤオーディオ等のアプリケーションを動作させるためのアプリケーションプログラムや、ナビゲーションのための各種データベースが記憶されている。
【００２８】
ＨＤＤ１３には、提示アプリケーション決定用プログラムおよび提示アプリケーションレジューム用プログラムが記憶されている。また、ＨＤＤ１３には、図２に示すような乗員パターンリスト、および図３に示すような提示アプリケーションリストも記憶されている。これらのリストは、提示アプリケーション決定用プログラムおよび提示アプリケーションレジューム用プログラムが実行される際に参照される。
【００２９】
ＲＡＭ１５には、各種プログラムや各種データ等が展開される領域と、Ｉ／Ｏ１１を介して入力されたデータ、ＣＰＵ１４による処理で得られたデータ、および着座センサ２２等のセンサによって得られたデータ等が記憶される領域とが設けられている。
【００３０】
ＶＲＡＭ１７には、画像が展開される領域が設けられている。画像は、描画ＩＣ１６によってＶＲＡＭ１７に展開される。また、展開された画像は、描画ＩＣ１６によって第１の表示装置２５や第２の表示装置２６に順次出力される。
【００３１】
着座センサ２２は、車両の各席に搭載され、乗員が着席しているか否かを検出する。なお、本実施形態では、運転席、助手席、および後部座席１、２に１つずつ設けられる。つまり、合計４つ設けられる。
【００３２】
第１の表示装置２５は、車室の前方に設置され、主に運転席や助手席等、前席の乗客に対して表示を行う。第１の表示装置２５は、運転席側から見た映像と助手席側から見た映像が異なるように表示する機能を有する。
【００３３】
第２の表示装置２６は、車室の中央に設置され、主に後席の乗客に対して表示を行う。
【００３４】
＜提示アプリケーション決定処理＞
次に、ＣＰＵ１４によって行われる提示アプリケーション決定処理について説明する。ＣＰＵ１４は、提示アプリケーション決定処理を、ＨＤＤ１３からＲＡＭ１５に展開された提示アプリケーション決定用プログラム等を実行することによって行う。処理部は、ＣＰＵ１４がプログラムを実行することによって実現される。
【００３５】
ＣＰＵ１４は、情報処理装置１０が搭載された車両のＡＣＣ（Accessary）電源がＯＮになる等によって情報処理装置１０にＡＣＣ電源が供給された場合に、提示アプリケーション決定用プログラムを実行する。なお、ＡＣＣ電源が供給された場合ではなく、ＣＰＵ１４の起動後に車速センサ２１やＧＰＳ２０等からの入力によって走行開始を検知した場合、または着座センサ２２からの入力によって着席状況の変化を検知した場合等に実行するようにしてもよい。また、ＡＣＣ電源の供給開始、走行開始の検知、および着席状況の変化の検知の３つの条件のうちの、特定または任意の２つ以上の条件が成立した場合に実行するようにしてもよいし、これら３つの条件のうちのいずれでも１つが成立した場合にも実行するようにしてもよい。
【００３６】
以下、図４を参照して、ＣＰＵ１４が提示アプリケーション決定処理を実行する動作について説明する。
【００３７】
（Ｓ１０１）各座席に乗員が着席しているか否かを判定する乗員パターン判定処理を行う。具体的な処理としては、４つの着座センサ２２による検出結果（着席情報）を取得し、ＨＤＤ１３に格納されている図２に示す乗員パターンリストから検出結果と一致する乗員パターンを検索し、検出結果と一致する乗員パターンの乗員パターン番号を抽出する。乗員パターンは、各座席における乗員の着席の有無のパターンを示すものである。
【００３８】
例えば、運転席および助手席の着座センサ２２が、乗員が着席していると検出し、後部座席１および後部座席２の着座センサ２２が、乗員が着席していないと検出したとすると、ＣＰＵ１４は、乗員パターン番号２を抽出する。
【００３９】
（Ｓ１０２）検出結果と一致する乗員パターンに応じて、どのアプリケーションによって提示された情報を、スピーカ２４、および第１と第２の表示装置２５、２６の各出力装置に出力させるかを決定する処理を実行する。具体的な処理としては、（Ｓ１０１）で抽出された乗員パターン番号を、図３に示す提示アプリケーションリストから検索し、乗員パターン番号に対応するアプリケーションパターンを抽出する。アプリケーションパターンは、出力装置とその出力装置に情報を提示する提示アプリケーションとの関係を示すものである。そして、抽出したアプリケーションパターンに従って、各出力装置に情報を提示するアプリケーションを、その乗員パターン番号に対応して示されたアプリケーションに決定する。
【００４０】
例えば、（Ｓ１０１）で乗員パターン番号２が抽出された場合、ＣＰＵ１４は、図３に示す表における上から２段目のアプリケーションパターンを抽出する。そして、第１の表示装置の運転席側に出力される情報を提示するアプリケーションをナビゲーションに決定し、第１の表示装置の助手席側に出力される情報を提示するアプリケーションをＨＤＤオーディオに決定し、さらに、第２の表示装置には、情報を出力しないことを決定する。また、スピーカ２４によって出力される音声（情報）を提示するアプリケーションを、ＨＤＤオーディオに決定する。
【００４１】
（Ｓ１０３）ＣＰＵ１４は、提示アプリケーションを起動させる処理を実行する。より詳しくは、（Ｓ１０２）で決定したアプリケーションを起動させ、スピーカ２４、第１の表示装置２５、および第２の表示装置２６に対し、各アプリケーションによって提示された情報を出力するように指示する（出力させる）。
【００４２】
例えば、ナビゲーションシステムを起動させ、ナビゲーション情報を第１の表示装置２５の運転席側に表示させたり、ＨＤＤオーディオを起動させ、ＨＤＤに記録されている音声情報の目次を第１の表示装置２５の助手席側に表示させたり、スピーカ２４にＨＤＤオーディオによって再生される音声を出力させたりする。
【００４３】
＜提示アプリケーションレジューム処理＞
次に、ＣＰＵ１４によって行われる提示アプリケーションレジューム処理について説明する。ＣＰＵ１４は、提示アプリケーションレジューム処理を、ＨＤＤ１３からＲＡＭ１５に展開された提示アプリケーションレジューム用プログラム等を実行することによって行う。
【００４４】
ＣＰＵ１４は、情報処理装置１０が搭載された車両のＡＣＣ（Accessary）電源がＯＦＦになる等によって情報処理装置１０にＡＣＣ電源が供給されなくなった場合に、提示アプリケーションレジューム用プログラムを実行する。なお、ＡＣＣ電源が供給されなくなった場合ではなく、利用者によって提示アプリケーションが変更された場合に実行するようにしてもよい。あるいは、ＡＣＣ電源の供給停止、および利用者による提示アプリケーションの変更の２つの条件のうちのいずれでも一方が成立した場合にも実行するようにしてもよいし、両方が成立した場合だけ実行するようにしてもよい。
【００４５】
以下、図５を参照して、ＣＰＵ１４が提示アプリケーションレジューム処理を実行する動作について説明する。
【００４６】
（Ｓ２０１）各座席に乗員が着席しているか否かを判定する乗員パターン判定処理を行う。具体的な処理としては、４つの着座センサ２２による検出結果（着席情報）を取得し、ＨＤＤ１３に格納されている図２に示す乗員パターンリストから検出結果と一致する乗員パターンを検索し、検出結果と一致する乗員パターンの乗員パターン番号を抽出する。
【００４７】
例えば、運転席および後部座席１の着座センサ２２が、乗員が着席していると検出し、助手席および後部座席２の着座センサ２２が、乗員が着席していないと検出したとすると、ＣＰＵ１４は、乗員パターン番号３を抽出する。
【００４８】
（Ｓ２０２）乗員パターンに応じて提示アプリケーションリストを更新する処理を実行する。具体的な処理としては、（Ｓ２０１）で抽出した乗員パターン番号を、図３に示す提示アプリケーションリストから検索し、抽出した乗員パターン番号に対応するアプリケーションパターンを、各出力装置と現在実際にその出力装置に情報を提示しているアプリケーションとの関係を示すアプリケーションパターンに更新する。
【００４９】
例えば、（Ｓ２０１）で乗員パターン番号３が抽出され、現在、第１の表示装置２５の運転席側にナビゲーション情報が提示され、第２の表示装置２６に、ＨＤＤオーディオのＨＤＤに記録されている音声情報の目次が表示され、ＨＤＤオーディオによって再生された音声がスピーカ２４に出力されているとする。この場合、乗員パターン番号３に対応する第２の表示装置２６のアプリケーションが、ＤＶＤプレイヤーからＨＤＤオーディオに更新され、スピーカ２４のアプリケーションも、ＤＶＤプレイヤーからＨＤＤオーディオに更新される。
【００５０】
次回にＣＰＵ１４が提示アプリケーション決定処理を実行する際には、更新した提示アプリケーションリストを使用して処理を行うため、乗員パターンが変わらなければ、前回と同じアプリケーションからの情報が出力装置に出力されることになる。
【００５１】
なお、（Ｓ２０２）では、アプリケーションからの情報が出力装置に出力されている最中に更新が行われていたが、情報の出力が終了した後に、各出力装置とその終了時点においてその出力装置に情報を提示しているアプリケーションとの関係を示すアプリケーションパターンへの更新が行われるようにしてもよい。
【００５２】
《その他変形例》
上記実施形態では、着座センサ２２によって、各座席に乗員が着席しているか否かが検出され、その検出結果に基づいて、出力装置に情報を提示するアプリケーションが決定されるようになっていた。しかし、さらに、乗員を、大人と子供等、複数の種類に分類し、各座席の乗員の有無および各乗員の種類に応じた乗員パターンによって、出力装置に情報を提示するアプリケーションが決定されるようにしてもよい。これにより、さらにきめ細かなアプリケーション設定が可能になる。例えば、重量センサを利用し、乗員の体重を検出し、体重によって乗員を分類するようにしてもよい。また、その他の身体的特徴によって分類するようにしてもよい。
【００５３】
上記実施形態の情報処理装置は、第１の表示装置２５の運転席側と助手席側、第２の表示装置２６、およびスピーカ２４の合計４種類の各出力装置について、情報を提示するアプリケーションを決定するようになっていた。しかし、４種類に限らず、例えば、１種類だけの出力装置について決定するようにしてもよい。
【００５４】
上記実施形態では、表示装置が２つであったが、３つ以上であってもよい。また、表示装置が１つであっても、２画面表示のディスプレイ、または方向に応じて別々の映像を表示できるディスプレイ等のように、複数のアプリケーションを並行に表示可能な表示装置であれば、表示装置が複数ある場合と同様に、情報を提示するアプリケーションを決定できる。
【００５５】
上記実施形態では、着座センサ２２が合計４つ設けられていたが、４つに限らず、１つだけでもよく、また、席数に応じていくつ設けられてもよい。
【００５６】
上記実施形態では、自動車に設けられる情報処理装置について説明したが、本発明は、飛行機等、他の乗物（移動体）に設けられる情報処理装置にも適用できる。
【００５７】
上記実施形態では、図２、３に示すような、乗員パターンリストおよび提示アプリケーションリストが、ＨＤＤ１３に記憶され、これらのリストが参照されることによって、どのアプリケーションによって提示された情報を出力装置に出力させるかが決定されるようになっていた。しかし、ＨＤＤ１３に記憶され、かかる決定のために参照される情報は、これらのリストのような形式のデータに限らず、複数種類の乗員パターンに、複数のアプリケーションのうちのいずれが対応するかの対応関係を示すデータであれば、どのような形式のデータであってもよい。つまり、複数種類の乗員パターンと複数のアプリケーションパターンとが、互いに対応付けて記憶されてさえいればよい。
【００５８】
また、乗員パターンリストおよび提示アプリケーションリストが記憶されるのは、ＨＤＤに限らず、他の種類の記憶装置であってもよい。
【００５９】
また、上記実施形態の情報処理装置は、提示アプリケーション決定処理および提示アプリケーションレジューム処理の両方の処理を行えるようになっていたが、提示アプリケーション決定処理だけを行えるようにしてもよい。
【産業上の利用可能性】
【００６０】
本発明に係る情報処理装置は、出力装置に情報を提示するアプリケーションが、乗員の着席状況に応じて自動的に決定されるので、煩雑な変更操作が不要になるという効果を有し、例えば、自動車等の移動体に設けられるナビゲーション装置等の情報処理装置として有用である。
【図面の簡単な説明】
【００６１】
【図１】本発明の実施形態に係る情報処理装置１０のハードウェア構成を示すブロック図である。
【図２】同、乗員パターンリストの説明図である。
【図３】同、提示アプリケーションリストの説明図である。
【図４】同、ＣＰＵ１４が提示アプリケーション決定処理を実行する動作を示すフローチャートである。
【図５】同、ＣＰＵ１４が提示アプリケーションレジューム処理を実行する動作を示すフローチャートである。
【符号の説明】
【００６２】
１０      情報処理装置
１１      Ｉ／Ｏ
１２      ＲＯＭ
１３      ＨＤＤ（記憶部、処理部）
１４      ＣＰＵ（処理部）
１５      ＲＡＭ（処理部）
１６      描画ＩＣ
１７      ＶＲＡＭ
１８      音声ＩＣ
１９      ＤＶＤドライブ
２０      ＧＰＳ
２１      車速センサ
２２      着座センサ
２３      タッチパネル
２４      スピーカ（出力装置）
２５      第１の表示装置（出力装置）
２６      第２の表示装置（出力装置）
【図１】
2008179176.tif 000003
【図２】
2008179176.tif 000004
【図３】
2008179176.tif 000005
【図４】
2008179176.tif 000006
【図５】
2008179176.tif 000007